(57)【要約】【目的】  本発明の目的は、シールド特性を得ることができ且つボディの薄型化を図ることができるコネクタを提供する。【構成】  コネクタＣは、長尺状のボディ１００と、ボディ１００に長さ方向に配列された複数のコンタクト２００と、コンタクト２００に接続されるケーブルアッセンブリＫと、ボディ１００をシールドするシールド部材３００とを備える。シールド部材３００は、ボディ１００の厚肉部１１０の後端部１１２の上端部に埋設された第１のシールド部３１０と、ボディ１００の厚肉部１１０及び薄肉部１２０の下端部に埋設された第２のシールド部３２０と、第１のシールド部３１０の基端部と第２のシールド部３２０の基端部とを繋ぐ横向き略Ｕ字状の第３のシールド部３３０と、第１のシールド部３１０の先端部に連続し且つ厚肉部１１０の先端部１１１に埋設された第４のシールド部３４０とを有する。【選択図】      図３
2008186663.tif 000002
【特許請求の範囲】
【請求項１】
複数のコンタクトが長さ方向に間隔を空けて配列された長尺状のボディと、このボディをシールドするシールド部材とを備えたコネクタにおいて、
前記シールド部材は、前記ボディの厚み方向の一端部をシールドする第１のシールド部と、前記ボディの厚み方向の他端部をシールドする第２のシールド部とを有し、
前記第１及び第２のシールド部のうち少なくとも一方の一部又は全部が前記ボディに埋設されていることを特徴とするコネクタ。
【請求項２】
レセプタクルコネクタに接続可能なプラグコネクタである請求項１記載のコネクタにおいて、
前記コンタクトに各々接続される複数のケーブルを備えており、
前記コンタクトは、前記ボディの幅方向の先端部の厚み方向の一端面から露出し且つ前記レセプタクルコネクタのコンタクトに接触可能な接触端部と、前記ボディの幅方向の中間部の厚み方向の一端面から露出し且つ前記ケーブルが接続される接続端部とを有しており、
前記シールド部材は、前記第１のシールド部と前記第２のシールド部とを繋ぐ第３のシールド部を有しており、
前記第２のシールド部は、前記接触端部に沿って配置される部分が前記レセプタクルコネクタのグランド部に接続可能なグランド接続部となっていることを特徴とするコネクタ。
【請求項３】
請求項２記載のコネクタにおいて、
前記第２のシールド部は、前記グランド接続部が前記ボディの先端部の厚み方向の他端面から露出するようにように、前記ボディの他端部に埋設されていることを特徴とするコネクタ。
【請求項４】
請求項２又は３記載のコネクタにおいて、
前記ケーブルは、信号線と、この信号線を被覆する絶縁体と、この絶縁体の外周面に設けられるシールド導体とを有しており、
前記第１のシールド部は、前記ボディの幅方向の後端部をシールドすると共に、前記ケーブルの信号線が前記コンタクトの接続端部に接続された状態で、そのシールド導体が接触することを特徴とするコネクタ。
【請求項５】
請求項２又は３記載のコネクタにおいて、
前記ボディは、厚肉部と、この厚肉部に設けられ、前記レセプタクルコネクタに嵌合可能な薄肉部とを有しており、
前記接触端部が前記薄肉部に、前記接続端部が前記厚肉部に設けられており、
前記シールド部材は、前記第１のシールド部に連続しており且つ前記厚肉部に前記接続端部に沿うように埋設された第４のシールド部を有しており、
前記第４のシールド部と前記接続端部との距離が前記第２のシールド部のグランド接続部と前記接触端部との距離と略同じになっていることを特徴とするコネクタ。  
【請求項６】
請求項２記載のコネクタにおいて、
前記ボディに当該ボディとの間に前記ケーブルを挟んだ状態で取り付けられ、前記ボディの厚み方向の一端面を覆うシールドカバーを備えており、
前記ボディの長さ方向の両端部には、前記シールドカバーを取り付けるための一対の取付孔が設けられており、
前記第２のシールド部の長さ方向の両端部には、少なくとも前記一対の取付孔に前記厚み方向の他端側から挿入される一対の接続片が設けられており、
前記シールドカバーの長さ方向の両端部には、少なくとも前記一対の取付孔に前記厚み方向の一端側から挿入され、前記一対の接続片に接触する一対の接続アームが設けられていることを特徴とするコネクタ。
【請求項７】
請求項６記載のコネクタにおいて、前記接続片及び接続アームのうち少なくとも一方が他方を係止する係止手段であることを特徴とするコネクタ。
【発明の詳細な説明】
【技術分野】
【０００１】
本発明は、複数のコンタクトが長尺状のボディにその長さ方向に間隔を空けて配列されたコネクタ、特に、前記コンタクトに各々接続される複数のケーブルを備えたプラグコネクタに関する。
【背景技術】
【０００２】
この種のプラグコネクタとしては、複数のコンタクトが間隔を空けて配列された長尺状のボディと、このボディの上面に取り付けられるシールドカバーと、前記ボディの下面に取り付けられ、前記シールドカバーと電気的に接続されるシールド部材とを備えたものがある(特許文献１参照)。
【０００３】
このプラグコネクタは、液晶テレビのフラットパネルディスプレイ等の電子機器に実装されるレセプタクルコネクタが薄型化されるのに伴って、薄型化することが要求されている。
【０００４】
【特許文献１】特開２００６−５４１０２号公報
【発明の開示】
【発明が解決しようとする課題】
【０００５】
ところが、単純に前記ボディを薄型化すると、その強度が低下してしまう。特に、上述のようにＥＭＩ対策としてボディの上下面にシールド部材及びシールドカバーが取り付けられる場合、これらの厚みを考慮して前記ボディを薄型化すると、その強度が大きく低下する。即ち、前記コネクタは、ＥＭＩ対策としてシールド特性を得ること及びボディの薄型化の双方を実現することが非常に困難であった。
【０００６】
本発明は、上記事情に鑑みて創案されたものであって、その目的とするところは、シールド特性を得ることができ且つボディの薄型化を図ることができるコネクタを提供することにある。
【課題を解決するための手段】
【０００７】
上記課題を解決するために、本発明のコネクタは、複数のコンタクトが長さ方向に間隔を空けて配列された長尺状のボディと、このボディをシールドするシールド部材とを備えたコネクタであって、前記シールド部材は、前記ボディの厚み方向の一端部をシールドする第１のシールド部と、前記ボディの厚み方向の他端部をシールドする第２のシールド部とを有し、前記第１及び第２のシールド部のうち少なくとも一方の一部又は全部が前記ボディに埋設されている。
【０００８】
このように前記第１及び第２のシールド部のうち少なくとも一方の一部又は全部を前記ボディに埋設することにより、前記ボディの強度を向上させることができる。しかも、前記第１、第２のシールド部にボディの厚み方向の両端部がシールドされるので、好適なシールド特性を得ることができる。また、前記第１及び第２のシールド部のうち少なくとも一方の一部又は全部を前記ボディに埋設するに当たり、前記第１及び第２のシールド部のボディに埋設される部分とコンタクトとの距離を調整することができるので、インピーダンスを制御することが可能になる。
【０００９】
前記コネクタがレセプタクルコネクタに接続可能なプラグコネクタである場合、前記コンタクトに各々接続される複数のケーブルを備えている。前記コンタクトは、前記ボディの幅方向の先端部の厚み方向の一端面から露出し且つ前記レセプタクルコネクタのコンタクトに接触可能な接触端部と、前記ボディの幅方向の中間部の厚み方向の一端面から露出し且つ前記ケーブルが接続される接続端部とを有しており、前記シールド部材は、前記第１及び第２のシールド部を繋ぐ第３のシールド部を有しており、前記第２のシールド部は、前記接触端部に沿って配置される部分が前記レセプタクルコネクタのグランド部に接続可能なグランド接続部となっている。
【００１０】
前記グランド接続部が前記ボディの先端部の厚み方向の他端面から露出するようにように、前記第２のシールド部を前記ボディの他端部に埋設することができる。
【００１１】
このように第２のシールド部にグランド接続部を設けることにより、前記コンタクトの接触端部を前記レセプタクルコネクタのコンタクトに接触させると同時に、前記グランド接続部を前記レセプタクルコネクタのグランド部に接触させることができる。即ち、本発明のコネクタのコンタクトとレセプタクルコネクタのコンタクトとの電気的な接続と、前記シールド部材と前記グランド部との電気的な接続とを同時に行うことができる。よって、本発明のコネクタを前記レセプタクルコネクタに容易に接続することができる。
【００１２】
前記ケーブルが、信号線と、この信号線を被覆する絶縁体と、この絶縁体の外周面に設けられるシールド導体とを有した構成である場合、前記第１のシールド部は、前記ボディの幅方向の後端部をシールドすると共に、前記ケーブルの信号線が前記コンタクトの接続端部に接続された状態で、そのシールド導体が接触するようになっている。
【００１３】
この場合、前記ケーブルの信号線を前記コンタクトの接続端部に接続すると、当該ケーブルのシールド導体が前記第１のシールド部に接触し接続される。このため、前記ケーブルを前記コネクタに簡単に接続することができ且つ当該コネクタのシールド特性を向上させることができる。
【００１４】
前記ボディが、厚肉部と、この厚肉部に設けられ、前記レセプタクルコネクタに嵌合可能な薄肉部とを有する場合、前記接触端部が前記薄肉部に、前記接続端部が前記厚肉部に設けられており、前記シールド部材は、前記第１のシールド部に連続しており且つ前記厚肉部に前記接続端部に沿うように埋設された第４のシールド部を有しており、前記第４のシールド部と前記接続端部との距離が前記第２のシールド部のグランド接続部と前記接触端部との距離と略同じになっている。  
【００１５】
このため、前記圧肉部における前記第４のシールド部と前記接続端部との間のインピーダンスと、前記薄肉部における前記第２のシールド部のグランド接続部と前記接触端部との間のインピーダンスと、のマッチングを図ることができる。
【００１６】
前記コネクタは、前記ボディに当該ボディとの間に前記ケーブルを挟んだ状態で取り付けられ、前記ボディの厚み方向の一端面を覆うシールドカバーを更に備えた構成とすることができる。この場合、前記ボディの長さ方向の両端部には、前記シールドカバーを取り付けるための一対の取付孔が設けられており、前記第２のシールド部の長さ方向の両端部には、少なくとも前記一対の取付孔に前記厚み方向の他端側から挿入される一対の接続片が設けられており、前記シールドカバーの長さ方向の両端部には、少なくとも前記一対の取付孔に前記厚み方向の一端側から挿入され、前記一対の接続片に接触する一対の接続アームが設けられている。
【００１７】
即ち、前記シールドカバーの一対の接続アームを、ボディの長さ方向の一対の取付孔に挿入することにより、当該一対の接続アームが前記第２のシールド部の一対の接続片に接触し接続される。このため、前記シールドカバーと前記第２のシールド部とを簡単に電気的に接続することができ且つ前記コネクタの厚み方向の両端部をシールドすることができる。よって、前記コネクタのシールド特性を向上させることができる。
【００１８】
前記接続片及び接続アームのうち少なくとも一方を他方を係止する係止手段とすることができる。この場合、前記シールドカバーと前記第２のシールド部との電気的接続と共に、前記シールドカバーのボディへの取り付けを簡単に行うことができる。
【発明の効果】
【００１９】
本発明のコネクタによる場合、前記第１及び第２のシールド部のうち少なくとも一方の一部又は全部が前記ボディに埋設されているので、前記ボディの強度を向上させることができる。しかも、前記記第１、第２のシールド部によりボディの厚み方向の両端部がシールドされているので、装置の薄型化を図りつつ、好適なシールド特性を得ることができる。
【００２０】
また、前記第１及び第２のシールド部の少なくとも一方の一部又は全部をボディに埋設するに当たり、その埋設部分とコンタクトとの距離を調整することができるので、インピーダンスを制御することが可能になる。よって、コネクタの伝送特性を向上させることが可能になり、その結果、高速のデジタル信号伝送に使用することが可能になる。
【発明を実施するための最良の形態】
【００２１】
以下、本発明の実施の形態に係るコネクタについて図面を参照しつつ説明する。図１は本発明の実施の形態に係るコネクタがレセプタクルコネクタに接続される前の状態を示す概略的斜視図、図２は同コネクタを示す図であって、(ａ)が概略的平面図、(ｂ)が概略的底面図、図３は同コネクタの図２に示すＡ−Ａ断面斜視図、図４は同コネクタの図２のＸ部分の拡大底面図であって、(ａ)がケーブルカバー未装着状態を示す図、(ｂ)がケーブルカバー装着状態を示す図、図５は同コネクタの中央部のケーブルカバー未装着状態を示す概略的平面図、図６は同コネクタのケーブルアッセンブリの概略的平面図、図７は同ケーブルアッセンブリのケーブル保持部の図６に示すＢ−Ｂ断面斜視図、図８は(ａ）が同ケーブルアッセンブリの第１のケーブルの模式的断面図、(ｂ）が同ケーブルアッセンブリの第２のケーブルの模式的断面図である。
【００２２】
図１及び図２に示すコネクタＣは、レセプタクルコネクタ１０に接続可能なプラグコネクタであって、長尺状のボディ１００と、このボディ１００にその長さ方向に間隔を空けて配列された複数のコンタクト２００と、このコンタクト２００に接続されるケーブルアッセンブリＫと、ボディ１００をシールドするシールド部材３００と、ボディ１００の上面(即ち、厚み方向の一端面)に取り付けられるシールドカバー４００とを備えている。以下、詳しく説明する。
【００２３】
レセプタクルコネクタ１０は、図１に示すように、図示しない電子機器の基板２０上に設けられた開口部１１ａを有する長尺状の本体部１１と、この本体部１１にその長さ方向に所定間隔を空けて配設された複数のコンタクト１２と、本体部１１の開口部１１ａの内部に設けられた図示されないグランド部とを有している。
【００２４】
本体部１１は、開口部１１ａの両側に一対の係止凹部１１ｂが設けられている。コンタクト１２の長さ方向の一端部が本体部１１の開口部１１ａの内部に臨む一方、当該コンタクト１２の長さ方向の他端部が基板２０に接続されている。
【００２５】
ボディ１００は、図１乃至図５に示すように、略矩形状の厚肉部１１０と、この厚肉部１１０の幅方向の先端面に設けられた薄肉部１２０と、厚肉部１１０の長さ方向の両端部に設けられた一対の張出部１３０と、この一対の張出部１３０に設けられ、前記幅方向の先端側に突出する一対のロック手段１４０と、一対の張出部１３０の前記幅方向の先端面の外側部に設けられ、一対のロック手段１４０を保護する一対の保護アーム１５０とを有した絶縁性の樹脂成形品である。
【００２６】
厚肉部１１０は、図３に示すように、幅方向の先端部１１１と幅方向の後端部１１２とを有する。後端部１１２はボディ１００の幅方向の後端部に相当する部分である。
【００２７】
先端部１１１はボディ１００の幅方向の中間部に相当する部分である。この先端部１１１の上面(即ち、厚み方向の一端面)には、図３及び図５に示すように、複数のコンタクト２００を固着する突脈１１１ａが長さ方向に渡って設けられている。
【００２８】
薄肉部１２０は、厚肉部１１０よりも薄肉な略矩形状の部位である。この薄肉部１２０はボディ１００の幅方向の先端部に相当する。
【００２９】
張出部１３０は、図１、図２及び図４に示すように、厚肉部１１０の後端部１１２よりも後方に張り出した略矩形状の部位であって、略矩形状の上面開口の凹部１３１を有している。この凹部１３１の底面には、後述する第１の取付孔１３３の内側部分に円柱状の回動軸部１３１ａが設けられている。
【００３０】
また、張出部１３０の前記幅方向の先端部の内側部には、図示されない第１の開放部が設けれ、これにより凹部１３１と保護アーム１５０の切欠き部１５１とが連通している。また、張出部１３０の前記長さ方向の外側端部の後端部には第２の開放部１３２が設けられている。
【００３１】
更に、張出部１３０の外側端部の先端部の上面には、シールドカバー４００を取り付けるための第１の取付孔１３３が設けられている。また、張出部１３０の前記幅方向の後端部の上面には、シールドカバー４００を取り付けるための第２の取付孔１３４が設けられている。
【００３２】
保護アーム１５０は、図１、図２及び図４に示すように、略矩形状の部位であって、その内側部にロック手段１４０の係止爪１４１を収容する切欠き部１５１が設けられている。
【００３３】
ロック手段１４０は、レセプタクルコネクタ１０の係止凹部１１ｂに係止可能な係止爪１４１と、この係止爪１４１を操作するための平面視略三角形の部材である操作部１４２とを有する。
【００３４】
操作部１４２は、その第１の頂部が張出部１３０の回動軸部１３１ａに軸支され、張出部１３０の凹部１３１に収容される。操作部１４２は、第１の頂部と図示されない第２の頂部との間の一辺部が図示されない付勢手段によって付勢されている。これにより、操作部１４２の第３の頂部が張出部１３０の第２の開放部１３２から操作可能に突出している。
【００３５】
係止爪１４１は、その先端部に爪部が設けられた棒状体である。この係止爪１４１は、その基端部が操作部１４２の第１の頂部に設けられ、前記先端部が保護アーム１５０の切欠き部１５１に出入り可能に収容される。
【００３６】
即ち、係止爪１４１の爪部は、操作部１４２が前記付勢手段に付勢され、当該操作部１４２及び係止爪１４１が回動することにより、保護アーム１５０の切欠き部１５１から常時突出している。この係止爪１４１の爪部は、操作部１４２の第３の頂部が操作され、当該操作部１４２及び係止爪１４１が前記付勢手段に抗して回動することにより、保護アーム１５０の切欠き部１５１に収容される。
【００３７】
コンタクト２００は、ボディ１００の厚肉部１１０の先端部１１１及び薄肉部１２０の上端部に埋設され、当該厚肉部１１０の突脈１１１ａに固着されている。
【００３８】
このコンタクト２００は、図３及び図５に示すように、薄肉部１２０の上面から露出する接触端部２１０と、厚肉部１１０の先端部１１１の上面から露出する接続端部２２０と、接触端部２１０と接続端部２２０とを繋ぐ部分であり且つ突脈１１１ａに固着される固着部２３０とを有している。
【００３９】
接続端部２２０は、固着部２３０に連続し且つ下方に向けて折り曲げられた折曲部２２１と、この折曲部２２１に連続する接続端部本体２２２と、接続端部本体２２２に連続し且つケーブルアッセンブリＫの第１、第２のケーブル６１０、６２０の信号線６１１、６２１を各々ガイドするガイド部２２３とを有する。
【００４０】
ガイド部２２３は、接続端部本体２２２の後端の中央部を切欠き、その両端部を上方に折り曲げたものである。この両端部の間に第１、第２のケーブル６１０、６２０の信号線６１１、６２１が挿入されガイドされる。
【００４１】
シールド部材３００は、図２乃至図５に示すように、厚肉部１１０の後端部１１２の上端部(即ち、厚み方向の一端部)に埋設された第１のシールド部３１０と、厚肉部１１０及び薄肉部１２０の下端部(即ち、厚み方向の他端部)に埋設された第２のシールド部３２０と、第１のシールド部３１０の基端部と第２のシールド部３２０の基端部とを繋ぐ横向き略Ｕ字状の第３のシールド部３３０と、第１のシールド部３１０の先端部に連続し且つ厚肉部１１０の先端部１１１に埋設された第４のシールド部３４０と、第２のシールド部３２０の底板部３２１の長さ方向の両端部に設けられ、且つ張出部１３０の下端部に埋設される一対の第５のシールド部３５０とを有した導電性の板状体である。
【００４２】
第２のシールド部３２０は、図２(ｂ)、図３及び図４に示すように、厚肉部１１０の下端部の一部をなす略矩形状の底板部３２１と、薄肉部１２０の下端部の一部をなす底板部３２１よりも小さい略矩形状のグランド接続部３２２と、底板部３２１とグランド接続部３２２との間を繋ぐ傾斜部３２３とを有する。
【００４３】
底板部３２１は、その下面が厚肉部１１０の下面と面一になっている。即ち、底板部３２１の下面が厚肉部１１０の下面から露出している。
【００４４】
グランド接続部３２２は、全てのコンタクト２００の接触端部２１０に平行に沿うと共に、その下面が薄肉部１２０の下面と面一になっている。このため、グランド接続部３２２の下面が薄肉部１２０の下面から露出し、レセプタクルコネクタ１０のグランド部に接触可能になっている。
【００４５】
傾斜部３２３はグランド接続部３２２から斜め下方に折り曲げられ傾斜した部位であり厚肉部１１０の先端部１１１内に埋設される。
【００４６】
第５のシールド部３５０は、図２(ｂ）及び図４に示すように、略矩形状の枠状体である。この第５のシールド部３５０の前記長さ方向の外側端部の先端部には、第１の接続片３５１が、第５のシールド部３５０の前記幅方向の後端部には、第２の接続片３５２が設けられている。
【００４７】
第１の接続片３５１は、第５シールド部３５０から直角に折り曲げられた板体である。この第１の接続片３５１は張出部１３０の第１の取付孔１３３の内側部分に下方(厚み方向の他端側)から挿入される。
【００４８】
第２の接続片３５２も、第５シールド部３５０から直角に折り曲げられた板体である。この第２の接続片３５２は張出部１３０の第２の取付孔１３４の内側部分に下方(厚み方向の他端側)から挿入される。
【００４９】
第１のシールド部３１０は、その上面が薄肉部１２０の後端部１１２の上面と面一になっている。即ち、第１のシールド部３１０の上面が薄肉部１２０の後端部１１２の上面から露出し、ケーブルアッセンブリＫのケーブル取付具５００と接触可能になっている。
【００５０】
第４のシールド部３４０は、第１のシールド部３１０に連続し且つ下方に向けて折り曲げられた段差部３４１と、この段差部３４１に連続し且つ全てのコンタクト２００の接続端部本体２２２に沿って平行に配設される延長部３４２とを有する。
【００５１】
段差部３４１は、第４のシールド部３４０の延長部３４２とコンタクト２００の接続端部２２０の接続端部本体２２２との距離αと、第２のシールド部３２０のグランド接続部３２２とコンタクト２００の接触端部２１０との距離βとが同じになるような段差になっている。
【００５２】
このように距離αと距離βとを同じにすることにより、厚肉部１１０における第４のシールド部３４０の延長部３４２とコンタクト２００の接続端部２２０の接続端部本体２２２とのインピーダンスと、薄肉部１２０における第２のシールド部３２０のグランド接続部３２２とコンタクト２００の接触端部２１０とのインピーダンスと、をマッチングさせている。
【００５３】
シールドカバー４００は、図１、図２(ａ)及び図３に示すように、略矩形状のカバー本体４１０と、このカバー本体４１０の長さ方向の両端部に設けられる一対の係止部４２０とを有した導電性の板状体である。
【００５４】
カバー本体４１０は、ボディ１００の厚肉部１１０の上面を、肉厚部１１０との間にケーブルアッセンブリＫの第１、第２のケーブル６１０、６２０を挟んだ状態で覆う。
【００５５】
係止部４２０は、カバー本体４１０に連続する略矩形状の部位である。この係止部４２０の前記長さ方向の外側端部の先端部には第１の接続アーム４２１が、係止部４２０の前記幅方向の後端部には第２の接続アーム４２２が設けられている。
【００５６】
第１の接続アーム４２１は、図２及び図４(ｂ)に示すように、係止部４２０から直角に折り曲げられた板体であって、その内側面に２つの第１の係止凸部４２１ａが設けられている。第１の接続アーム４２１の厚み寸法と第１の係止凸部４２１ａの高さ寸法との和が、張出部１３０の第１の取付孔１３３とシールド部材３００の第１の接続片３５１との間の寸法よりも若干大きくなっている。
【００５７】
同様に、第２の接続アーム４２２も、図２及び図４(ｂ)に示すように、係止部４２０から直角に折り曲げられた板体であって、その内側面に２つの第２の係止凸部４２２ａが設けられている。第２の接続アーム４２２の厚み寸法と第２の係止凸部４２２ａの高さ寸法との和が、張出部１３０の第２の取付孔１３４とシールド部材３００の第２の接続片３５２との間の寸法よりも若干大きくなっている。
【００５８】
このため、第１、第２の接続アーム４２１、４２２が張出部１３０の第１、第２の取付孔１３３、１３４の外側部分に上方(厚み方向の一端側)から挿入されると、第１、第２の係止凸部４２１ａ、４２２ａがシールド部材３００の第１、第２の接続片３５１、３５２に当接する。これにより、シールドカバー４００がボディ１００に係止され、その抜け止めがなされる。
【００５９】
また、係止部４２０の第１の接続アーム４２１の内側部分には、図１及び図２(ａ)に示すように、張出部１３０の回動軸部１３１ａが嵌まり込む固定孔部４２３が設けられている。
【００６０】
ケーブルアッセンブリＫは、図６及び図７に示すように、ケーブル取付具５００と、このケーブル取付具５００に並列に並べた状態で取り付けられる複数の第１、第２のケーブル６１０、６２０とを備えている。以下、各部を詳しく説明する。
【００６１】
ケーブル取付具５００は、ベース部５１０と、ベース部５１０の一端部５１１に、その長さ方向に間隔を空けて配設された複数の第１の取付部５２０と、ベース部５１０の他端部５１２に、その長さ方向に間隔を空けて配設された複数の第２の取付部５３０と、ベース部１１０の他端部１１２に設けられた延長部５４０とを備えている。
【００６２】
ベース部５１０は、図７に示すように、幅方向の一端部５１１と他端部５１２とが同一方向に向くように略Ｕ字状に折り曲げられた導電性を有する長尺状の板体である。このベース部５１０の一端部５１１は、延長部５４０に対向する先端部が矩形状に切り欠かれている。
【００６３】
第１の取付部５２０と第２の取付部５３０とは長さ方向に交互に配置されている。この第１の取付部５２０と第２の取付部５３０との間隔が第１のケーブル６１０の外径の３倍以下である一方、第１の取付部５２０同士、第２の取付部５３０同士の間隔が第１の取付部５２０と第２の取付部５３０との間隔より大きくなっている。
【００６４】
換言すると、第１、第２の取付部５２０、５３０を第１のケーブル６１０の外径の３倍以下の狭ピッチ間隔で配置することができる一方、第１の取付部５２０同士、第２の取付部５３０同士の間隔を広くし、第１、第２の取付部５２０、５３０をベース部５１０の一端部５１１の先端部、他端部５１２の先端部から切り起こして作成するに当たり、第１のケーブル６１０を好適に挟持するのに必要な第１、第２の取付部５２０、５３０の展開長さを十分に取ることができるようにしている。
【００６５】
第１の取付部５２０は、図６及び図７に示すように、断面視略Ｕ字状の部位であって、ベース部５１０の一端部５１１に連続する第１の支持部５２１と、この第１の支持部５２１の両端部に前記長さ方向に交差する方向に向けて設けられた一対の第１の挟持部５２２とを有する。
【００６６】
第２の取付部５３０も、図６及び図７に示すように、断面視略Ｕ字状の部位であって、ベース部５１０の他端部５１２に連続する第２の支持部５３１と、この第２の支持部５３１の両端部に前記長さ方向に交差する方向に向けて設けられた一対の第２の挟持部５３２とを有する。
【００６７】
第１の支持部５２１は、第１のケーブル６１０が載置される板状体である。この第１の支持部５２１は、図７に示すように、その基端部が折り曲げられ、その先端部の上面(ケーブル載置面)が第２の支持部５３１の上面(ケーブル載置面)と同一高さとなっている。第２の支持部５３１は、第１のケーブル６１０が載置される直線状の板状体である。
【００６８】
一対の第１の挟持部５２２は、図８(ａ)に示すように、第１の支持部５２１に載置された第１のケーブル６１０を挟持するカシメ部である。一対の第２の挟持部５３２は一対の第１の挟持部５２２と同じものである。
【００６９】
第１の支持部５２１の幅寸法と一対の第１の挟持部５２２の幅寸法との和は、第１のケーブル６１０の外周の長さと略同じになっている。これにより、第１、第２の取付部５２０、５３０が、図８(ａ)に示すように、第１のケーブル６１０の外周の略全部を覆うことができるようになっている。同様に、第２の支持部５３１の幅寸法と一対の第２の挟持部５３２の幅寸法との和も、第１のケーブル６１０の外周の長さと略同じになっている。
【００７０】
延長部５４０は、図５及び図６に示すように、ベース部５１０の他端部５１２から延長された略矩形状の板体である。この延長部５４０の中央部には、複数の第２のケーブル６２０が各々取り付けられる複数の第３の取付部５４１が前記長さ方向に間隔を空けて設けられている。また、延長部５４０の先端部には複数の端子５４２が前記長さ方向に間隔を空けて設けられている。第３の取付部５４１と端子５４２とは交互になるように配置されている。
【００７１】
第３の取付部５４１は、延長部５４０をカットして作成されるものであって、断面視略Ｕ字状となっている。この第３の取付部５４１は、図３及び図５に示すように、先端部及び後端部が延長部５４０に連続する略Ｉ字状の第３の支持部５４１ａと、この第３の支持部の両端部に設けられ且つ第１、第２の取付部５２０、５３０の第１、第１の挟持部５２２、５３２と同方向に向けて折り曲げられた一対の第３の挟持部５４１ｂとを有する。
【００７２】
第１のケーブル６１０は、図６及び図８に示すように、信号線６１１と、この信号線６１１を被覆する内部絶縁体６１２と、この内部絶縁体６１２を覆うシールド導体６１３と、このシールド導体６１３を被覆する外部絶縁部６１４とを有した周知の同軸ケーブルである。
【００７３】
第２のケーブル６２０は、図６及び図８に示すように、２つの信号線６２１と、この２つの信号線６２１を各々被覆する２つの内部絶縁体６２２と、この２つの内部絶縁体６２２を覆うシールド導体６２３と、このシールド導体６２３を被覆する外部絶縁部６２４とを有した周知のツインケーブルである。
【００７４】
以下、このような構成のコネクタＣの組み立て工程について説明する。まず、ケーブルアッセンブリＫを組み立てる。
【００７５】
第１のケーブル６１０の一端部の先端側の部分の外部絶縁部６１４、シールド導体６１３及び内部絶縁体６１２を剥がし、信号線６１１を露出させる。その後、第１のケーブル６１０の一端部の後端側の部分の外部絶縁部６１４を剥がし、シールド導体６１３を露出させる。この状態で、第１のケーブル６１０のシールド導体６１３をケーブル取付具５００の第１、第２の取付部５２０、５３０の第１、第２の支持部５２１、５３１に載置する。そして、一対の第１、第１の挟持部５２２、５３２をカシメることにより、当該第１、第１の挟持部５２２、５３２に第１のケーブル６１０のシールド導体６１３を挟持させる。
【００７６】
また、第２のケーブル６２０の一端部の先端側の部分の外部絶縁部６２４、シールド導体６２３及び２つの内部絶縁体６２２を剥がし、２つの信号線６２１を露出させる。その後、第２のケーブル６２０の一端部の後端側の部分の外部絶縁部６２４を剥がし、シールド導体６２３を露出させる。この状態で、第２のケーブル６２０のシールド導体６２３をケーブル取付具５００の第３の取付部５４１の第３の支持部５４１ａに載置する。そして、当該第３の取付部５４１の一対の第３の挟持部５４１ｂをカシメることにより、当該第３の挟持部５４１ｂに第２のケーブル６２０のシールド導体６２３を挟持させる。このようにしてケーブルアッセンブリＫが組み立てられる。
【００７７】
一方、複数のコンタクト２００とシールド部材３００とをボディ１００にインサート成形する。これにより、コンタクト２００がボディ１００の厚肉部１１０の先端部１１１及び薄肉部１２０の上端部に埋設される。これと共に、シールド部材３００の第１のシールド部３１０が厚肉部１１０の後端部１１２の上端部に埋設され、第２のシールド部３２０が厚肉部１１０及び薄肉部１２０の下端部に埋設され、第４のシールド部３４０が厚肉部１１０の先端部１１１に埋設され、一対の第５のシールド部３５０が張出部１３０の下端部に埋設される。
【００７８】
このとき、第４のシールド部３４０の延長部３４２とコンタクト２００の接続端部２２０の接続端部本体２２２との距離αと、第２のシールド部３２０のグランド接続部３２２とコンタクト２００の接触端部２１０との距離βとが同じになるように調整する。
【００７９】
また、前記インサート成形時に、張出部１３０の第１、第２の取付孔１３３、１３４が形成されると共に、当該第１、第２の取付孔１３３、１３４の内側部分に第５シールド部５３０の第１、第２の接続片３５１、３５２が下方から挿入される。
【００８０】
その後、ケーブルアッセンブリＫの第１のケーブル６１０の信号線６１１、第２のケーブル６２０の２つの信号線６２１を、コンタクト２００の接続端部２２０の接続端部本体２２２に各々接触させる。これと共に、ケーブル取付具５００の延長部５４０の端子５４２が残りのコンタクト２００の接続端部２２０の接続端部本体２２２に接触させる。この状態で、信号線６１１、信号線６２１及び端子５４２が半田接続される。なお、端子５４２が接続された残りのコンタクト２００はグランド用のコンタクトとして使用され、レセプタクルコネクタ１０のグランド用のコンタクト１２に接続される。
【００８１】
このとき、ケーブル取付具５００のベース部５１０及び延長部５４０がシールド部材３００の第１のシールド部３１０上に載置され接触する。これにより、ケーブル取付具５００がシールド部材３００に電気的に接続される。即ち、ケーブル取付具５００を介して、第１、第２のケーブル６１０、６２０のシールド導体６１３、６２３が第１のシールド部３１０に電気的に接続される。
【００８２】
その後、ロック手段１４０の操作部１４２を張出部１３０の回動軸部１３１ａに軸支させる共に、当該操作部１４２及び付勢手段を張出部１３０の凹部１３１に、係止爪１４１を凹部１３１及び保護アーム１５０の切欠き部１５１に収容させる。すると、操作部１４２が前記付勢手段に付勢され、係止爪１４１の爪部が保護アーム１５０の切欠き部１５１から突出する。
【００８３】
その後、シールドカバー４００の第１、第２の接続アーム４２１、４２２を張出部１３０の第１、第２の取付孔１３３、１３４の外側部分に上方から位置合わせをしつつ挿入すると共に、張出部１３０の回動軸部１３１ａをシールドカバー４００の固定孔部４２３に挿入する。これにより、シールドカバー４００がボディ１００の厚肉部１１０との間にケーブルアッセンブリＫのケーブル取付具５００及び第１、第２のケーブル６１０、６２０を挟んだ状態で、当該ボディ１００に取り付けられ、当該シールドカバー４００がボディ１００の厚肉部１１０及び一対の張出部１３０上面を覆う。これにより、ボディ１００の薄肉部１２０の上面を除く上下面がシールド部材３００及びシールドカバー４００により覆われシールドされる。
【００８４】
以下、このように組み立てられるコネクタＣをレセプタクルコネクタ１０に接続する手順について説明する。まず、ボディ１００の薄肉部１２０を、レセプタクルコネクタ１０の開口部１１ａに位置合わせをしつつ挿入する。すると、薄肉部１２０の上面から露出したコンタクト２００の接触端部２１０が、レセプタクルコネクタ１０のコンタクト１２に各々接触すると共に、薄肉部１２０の下面から露出したシールド部材３００のグランド接続部３２２が、レセプタクルコネクタ１０のグランド部に接触する。
【００８５】
これ共に、ボディ１００の一対の保護アーム１５０を、レセプタクルコネクタ１０の一対の係止凹部１１ｂに位置合わせをしつつ挿入する。すると、一対の保護アーム１５０の切欠き部１５１から突出した一対のロック手段１４０の係止爪１４１の爪部が当該ロック手段１４０の付勢手段の付勢力により、一対の係止凹部１１ｂに各々係止される。
【００８６】
コネクタＣとレセプタクルコネクタ１０との接続を取り外すときには、操作部１４２の第３の頂部を前記付勢手段の付勢力に抗して操作することにより、係止爪１４１の爪部が保護アーム１５０の切欠き部１５１に収容される。これにより、係止爪１４１の爪部と係止凹部１１ｂとの係止が解除され、ボディ１００の薄肉部１２０をレセプタクルコネクタ１０の開口部１１ａから引き抜くことができると共に、ボディ１００の一対の保護アーム１５０を、レセプタクルコネクタ１０の一対の係止凹部１１ｂから引き抜くことができる。
【００８７】
このようなコネクタＣによる場合、シールド部材３００の第１のシールド部３１０がボディ１００の厚肉部１１０の後端部１１２の上端部に埋設され、第２のシールド部３２０が厚肉部１１０及び薄肉部１２０の下端部に埋設され、第４のシールド部３４０が厚肉部１１０の先端部１１１に埋設され、一対の第５のシールド部３５０が張出部１３０の下端部に埋設されている。このため、ボディ１００の強度を向上させることができるので、当該ボディ１００の薄型化を図ることができる。
【００８８】
しかも、コンタクト２００とシールド部材３００とをボディ１００にインサート成形により埋設するに当たり、コンタクト２００の接続端部２２０の接続端部本体２２２と第４のシールド部３４０の延長部３４２との距離αと、コンタクト２００の接触端部２１０と第２のシールド部３２０のグランド接続部３２２との距離βとが同じになるように調整することができる。このため、両者のインピーダンスを制御することができ且つそのインピーダンスをマッチングさせることができる。よって、コネクタの伝送特性を向上させることが可能になり、その結果、高速のデジタル信号伝送に使用することが可能になる。
【００８９】
なお、ボディ１００の形状については、上記実施例に限定されることはなく、コンタクトが長さ方向に間隔を空けて配設可能な長尺状である限り、任意に設計変更可能である。
【００９０】
コンタクト２００については、前記ボディに長さ方向に間隔を空けて配設されていれば良く、その形状は任意に設計変更可能である。
【００９１】
シールド部材３００については、ボディの厚み方向の一端部をシールドする第１のシールド部と、前記ボディの厚み方向の他端部をシールドする第２のシールド部とを有しており、第１及び第２のシールド部の少なくとも一方の一部又は全部が前記ボディに埋設されている限り任意に設計変更可能である。
【００９２】
第１及び第２のシールド部の少なくとも一方の一部又は全部を前記ボディに埋設する例としては、第１のシールド部３１０を折り曲げ、その先端部を厚肉部１１０の後端部１１２の前側部に埋設する一方、当該シールド部３１０の後端部を後端部１１２の後側部の面上に載置するようにすることができる。又は、第２のシールド部３２０の底板部３２１のみを厚肉部１１０の下端部に埋設するようにしても良いし、第２のシールド部３２０のグランド接続部３２２のみを薄肉部１２０の下端部に埋設するようにしても良い。
【００９３】
第１、第２のシールド部３１０、３２０は、前記ボディの厚み方向の一端部、他端部をシールドし得るものである限り、どのような設計変更をしてもかまわない。
【００９４】
グランド接続部３２２については、薄肉部１２０の下端部に埋設せず、当該下端部に沿うように配設することも可能である。このように設計変更してもグランド接続部３２２としての機能を果たすことができる。なお、グランド接続部３２２を薄肉部１２０の下端部内部に埋設し、単なるシールド部とすることもできる。
【００９５】
第３のシールド部３３０は、第２のシールド部３２０がグランド接続部３２２を有している場合には、設けることが好ましい。なぜなら、グランド接続部３２２がレセプタクルコネクタ１０のグランド部に接触することにより、シールド部材３００が全体がグランド接続されるからである。なお、第３のシールド部３３０の形状は上記実施例のものに限定されない。
【００９６】
第４のシールド部３４０の形状については、コンタクト２００の接続端部２２０の接続端部本体２２２との距離αを、コンタクト２００の接触端部２１０と第２のシールド部３２０のグランド接続部３２２との距離βと同じにし得るものである限り、どのような形状であっても良い。勿論、別体の第４のシールド部３４０を厚肉部１１０の先端部１１１内部に埋設し、第２のシールド部３２０等に接触させるようにしても良い。また、第４のシールド部３４０を設けず、第２のシールド部３２０の底板部３２１の一部を折り曲げて厚肉部１１０の先端部１１１内部に埋設することにより、この折曲部を第４のシールド部３４０として代用することも一応可能である。
【００９７】
第５のシールド部３５０には、第１、第２の接続片３５１、３５２が設けられているとしたが、少なくとも一方が設けられていれば良い。第１、第２の接続片３５１、３５２の形状についてはボディの取付孔に挿入し得る限り任意に設計変更可能である。
【００９８】
シールドカバー４００については、設けるか否かは任意である。その形状について任意に設計変更可能である。
【００９９】
シールドカバー４００には、第１、第２の接続アーム４２１、４２２が設けられているとしたが、少なくとも一方が設けられていれば良い。第１、第２の接続アーム４２１、４２２の形状についてはボディの取付孔に挿入し得る限り任意に設計変更可能である。
【０１００】
第１、第２の係止凸部４２１ａ、４２２ａについては、第１、第２の接続片３５１、３５２に設けることも可能である。また、第１、第２の係止凸部４２１ａ、４２２ａとしては、その他任意の係止手段に変更することが可能であり、前記シールド部材の接続片及びシールドカバーの接続アームの少なくとも一方に設けられていれば良い。
【０１０１】
コネクタＣは、ケーブルアッセンブリＣを備えるとしたが、コンタクトに接続される少なくとも一種類のケーブルを備えていれば良い。
【０１０２】
そのケーブルとしては、上述した同軸ケーブル及びツインケーブルだけに限定されるものではなく、単心ケーブル等その他のケーブルを用いることができることは言うまでもない。
【０１０３】
また、コネクタＣは、プラグコネクタであるとしたが、これに限定されるものではなく、レセプタクルコネクタとすることも可能である。
【図面の簡単な説明】
【０１０４】
【図１】本発明の実施の形態に係るコネクタがレセプタクルコネクタに接続される前の状態を示す概略的斜視図である。
【図２】同コネクタを示す図であって、(ａ)が概略的平面図、(ｂ)が概略的底面図である。
【図３】同コネクタの図２Ａ−Ａ断面斜視図である。
【図４】同コネクタの図２のＸ部分の拡大底面図であって、(ａ)がケーブルカバー未装着状態を示す図、(ｂ)がケーブルカバー装着状態を示す図である。
【図５】同コネクタの中央部のケーブルカバー未装着状態を示す概略的平面図である
【図６】同コネクタのケーブルアッセンブリの概略的平面図である。
【図７】同ケーブルアッセンブリのケーブル保持部の図６に示すＢ−Ｂ断面斜視図である。
【図８】(ａ）が同ケーブルアッセンブリの第１のケーブルの模式的断面図、(ｂ）が同ケーブルアッセンブリの第２のケーブルの模式的断面図である。
【符号の説明】
【０１０５】
１０      レセプタクルコネクタ
１１ａ    開口部
１２      コンタクト
Ｃ        コネクタ
１００    ボディ
１１０    圧肉部
１２０    薄肉部
１３３    第１の取付孔
１３４    第２の取付孔
２００    コンタクト
２１０    接触端部
２２０    接続端部
３００    シールド部材
３１０    第１のシールド部
３２０    第２のシールド部
３２２    グランド接続部
３３０    第３のシールド部
３４０    第４のシールド部
３５１    第１の接続片  
３５２    第２の接続片
４００    シールドカバー
４２１    第１の接続アーム
４２１ａ  第１の係止凸部(係止手段)
４２２    第２の接続アーム
４２２ａ  第２の係止凸部(係止手段)
６１０    第１のケーブル
６１１    信号線
６１２    内部絶縁体
６１３    シールド導体
６２０    第２のケーブル
６２１    信号線
６２２    内部絶縁体
６２３    シールド導体
【図１】
2008186663.tif 000003
【図２】
2008186663.tif 000004
【図３】
2008186663.tif 000005
【図４】
2008186663.tif 000006
【図５】
2008186663.tif 000007
【図６】
2008186663.tif 000008
【図７】
2008186663.tif 000009
【図８】
2008186663.tif 000010